(57)【要約】【課題】再生時のノイズの発生を抑制できる情報再生装置、情報再生方法、情報再生プログラムおよび情報再生プログラムを格納した記録媒体を提供する。【解決手段】ＣＤプレーヤ１において、オーディオＤＳＰ８が符号化された音声データを復号する際に、１フレーム分のデータをオーディオＤＳＰ８内の内蔵メモリ８ａに読み込み、そのデータをデコードした後に、出力バッファ９に書き出すようになるまでは、オーディオデコーダ８は内蔵メモリ８ａのデータを繰り返しデコードする。【選択図】図１
2009230773.tif 000002
【特許請求の範囲】
【請求項１】
符号化された音声情報または映像情報を外部から間欠的に取得して該音声情報または映像情報を復号する復号手段を備えた情報再生装置において、
所定の情報を記憶する記憶手段を備え、
前記復号手段が、前記音声情報または映像情報を復号してから次の前記音声情報または映像情報を復号する間の期間は、前記記憶手段に記憶されている前記所定の情報を読み出して繰り返し復号するように構成されている
ことを特徴とする情報再生装置。
【請求項２】
前記記憶手段が、外部から取得する一度に復号する量の前記音声情報または映像情報を前記所定の情報として記憶することを特徴とする請求項１に記載の情報再生装置。
【請求項３】
前記記憶手段が、外部から取得する前記音声情報または映像情報以外の予め定めた情報を前記所定の情報として記憶することを特徴とする請求項１に記載の情報再生装置。
【請求項４】
前記記憶手段が、前記復号手段に含まれることを特徴とする請求項１乃至３のうちいずれか一項に記載の情報再生装置。
【請求項５】
前記記憶手段が、前記復号手段の前段に設けられていることを特徴とする請求項１乃至３のうちいずれか一項に記載の情報再生装置。
【請求項６】
符号化された音声情報または映像情報を外部から間欠的に取得して該音声情報または映像情報を復号する情報再生方法において、
前記音声情報または映像情報を復号してから次の前記音声情報または映像情報を復号する間の期間は、記憶手段に記憶されている前記所定の情報を読み出して繰り返し復号することを特徴とする情報再生方法。
【請求項７】
符号化された音声情報または映像情報を外部から間欠的に取得して該音声情報または映像情報を復号する復号手段としてコンピュータを機能させる情報再生プログラムにおいて、
所定の情報を記憶する記憶手段として、前記コンピュータを機能させるとともに、
前記復号手段が、前記音声情報または映像情報を復号してから次の前記音声情報または映像情報を復号する間の期間は、前記記憶手段に記憶されている前記所定の情報を読み出して繰り返し復号する
ことを特徴とする情報再生プログラム。
【請求項８】
請求項７に記載の情報再生プログラムを格納したことを特徴とするコンピュータ読み取り可能な記録媒体。
【発明の詳細な説明】
【技術分野】
【０００１】
本発明は、符号化された音声情報や映像情報を復号して再生する情報再生装置、情報再生方法、情報再生プログラムおよび情報再生プログラムを格納した記録媒体に関する。
【背景技術】
【０００２】
近年、例えばＭＰ３（MPEG-1 Audio Layer3）やＡＡＣ（Advanced Audio Coding）などといった符号化方式により符号化した音楽データを光ディスクやハードディスクあるいはメモリカードなどに記録して再生したり、インターネットなどからダウンロードして再生する再生装置が提案されている（例えば特許文献１）。
【０００３】
特許文献１に記載の再生装置では、ＤＳＰ（Digital Signal Processer）をデコーダ（復号手段）として用いてそのプログラムを入れ替えることで複数の符号化方式に対応するようにしている。
【特許文献１】特開２００１−２０２０９４号公報
【発明の開示】
【発明が解決しようとする課題】
【０００４】
この種の再生装置における復号動作は、音声であれば１フレーム毎に順次デコーダに読み込んでデコードを行う。符号化されたデータは通常数分の１から十数分の１程度に圧縮されているので、例えば１フレーム分のデータをデコードした後は、続けて次のフレームのデータのデコードを行わずに、デコードしたフレームのデータの再生がある程度進行した時点で次のフレームのデコードを行うというように、間欠的にデコーダを動作させることが多い。
【０００５】
しかしながら、デコーダを間欠的に動作させると、デコードの処理が起動する際に流れる電流が、周囲の電子回路に流入し、その結果、再生された音声にノイズが発生してしまうという問題があった。
【０００６】
そこで、本発明は、例えば再生中のノイズの発生を抑制できる情報再生装置、情報再生方法、情報再生プログラムおよび情報再生プログラムを格納した記録媒体を提供することを課題とする。
【課題を解決するための手段】
【０００７】
上記課題を解決するために、請求項１に記載の情報再生装置は、符号化された音声情報または映像情報を外部から間欠的に取得して該音声情報または映像情報を復号する復号手段を備えた情報再生装置において、所定の情報を記憶する記憶手段を備え、前記復号手段が、前記音声情報または映像情報を復号してから次の前記音声情報または映像情報を復号する間の期間は、前記記憶手段に記憶されている前記所定の情報を読み出して繰り返し復号するように構成されていることを特徴としている。
【０００８】
請求項６に記載の情報再生方法は、符号化された音声情報または映像情報を外部から間欠的に取得して該音声情報または映像情報を復号する情報再生方法において、前記音声情報または映像情報を復号してから次の前記音声情報または映像情報を復号する間の期間は、記憶手段に記憶されている前記所定の情報を読み出して繰り返し復号することを特徴としている。
【０００９】
請求項７に記載の情報再生プログラムは、符号化された音声情報または映像情報を外部から間欠的に取得して該音声情報または映像情報を復号する復号手段としてコンピュータを機能させる情報再生プログラムにおいて、所定の情報を記憶する記憶手段として、前記コンピュータを機能させるとともに、前記復号手段が、前記音声情報または映像情報を復号してから次の前記音声情報または映像情報を復号する間の期間は、前記記憶手段に記憶されている前記所定の情報を読み出して繰り返し復号することを特徴としている。
【発明を実施するための最良の形態】
【００１０】
以下、本発明の一実施形態にかかる情報再生装置を説明する。本発明の一実施形態にかかる情報再生装置は、復号手段が、音声情報または映像情報を復号してから次の音声情報または映像情報を復号する間の期間は、記憶手段に記憶されている所定の情報を繰り返し読み出して復号するので、復号処理が常時動作し続けるために、復号処理の起動に伴う電流の流入を防止することができ、再生された音声や映像にノイズが発生することを防止することができる。
【００１１】
また、記憶手段が、外部から取得する一度に復号する量の音声情報または映像情報を所定の情報として記憶してもよい。このようにすることにより、復号処理自体は、再生される情報と変わりなく動作を行えるので、復号処理の起動に伴う電流の流入を防止してノイズを防止することが容易になる。
【００１２】
また、記憶手段が、外部から取得する音声情報または映像情報以外の予め定めた情報を所定の情報として記憶してもよい。このようにすることにより、予め繰り返し処理用にダミーの情報を記憶させることができるので、例えば記憶手段はマスクＲＯＭにしてもよいし、あるいは少量の情報を用意してそれを繰り返し利用するようにすることもできるので記憶手段の容量を少なくすることができる。
【００１３】
また、記憶手段が、復号手段に含まれてもよい。このようにすることにより、本発明を適用するために基板上の回路構成の変更の必要がないので、回路構成の変更を伴わずに復号処理の起動に伴う電流の流入を防止してノイズを防止することができる。
【００１４】
また、記憶手段が、復号手段の前段に設けられていてもよい。このようにすることにより、復号手段の前段にバッファメモリなどが設けられていた場合は、そのバッファメモリと共用することができるので、回路構成の変更を伴わずに復号処理の起動に伴う電流の流入を防止してノイズを防止することができる。
【００１５】
また、本発明の一実施形態にかかる情報再生方法は、音声情報または映像情報を復号してから次の音声情報または映像情報を復号する間の期間は、記憶手段に記憶されている所定の情報を読み出して繰り返し復号するので、復号処理が常時動作し続けるために、復号処理の起動に伴う電流の流入を防止することができ、再生された音声や映像にノイズが発生することを防止することができる。
【００１６】
また、本発明の一実施形態にかかる情報再生プログラムは、復号手段が、音声情報または映像情報を復号してから次の音声情報または映像情報を復号する間の期間は、記憶手段に記憶されている所定の情報を読み出して繰り返し復号するようにコンピュータを機能させるので、復号処理が常時動作し続けるために、復号処理の起動に伴う電流の流入を防止することができ、再生された音声や映像にノイズが発生することを防止することができる。
【００１７】
また、請求項７に記載の情報再生プログラムをコンピュータ読み取り可能な記録媒体に格納してもよい。このようにすることにより、情報再生プログラムを機器に組み込む以外に単体でも流通させることができ、バージョンアップ等も容易に行える。
【実施例１】
【００１８】
本発明の第１の実施例にかかる情報再生装置としてのＣＤプレーヤ１を図１乃至図４を参照して説明する。本発明の第１の実施例にかかるＣＤプレーヤ１は図１に示すように、スピンドルモータ２と、ピックアップ３と、ＲＦアンプ４と、ＥＦＭデコーダ５と、ＣＤ−ＲＯＭデコーダ６と、ＦＩＦＯ７と、オーディオＤＳＰ８と、出力バッファ９と、ＤＡＣ１０と、音声出力端子１１と、マイコン１２と、を備え、ＣＤ（Compact Disc）１３に記録されている符号化された音声情報としての音楽データを復号して再生する装置である。なお、本実施例においてＣＤ１３は、所謂音楽ＣＤなどに用いられているＣＤ−ＤＡではなく、ＭＰ３などで符号化された音楽データが記録されているＣＤ−ＲＯＭまたはＣＤ−Ｒなどの媒体とする。
【００１９】
スピンドルモータ２は、ＣＤ１３を回転させるモータである。
【００２０】
ピックアップ３は、ＣＤ１３に照射するレーザ光を発生させる光源としてのレーザダイオードや、ＣＤ１３上にレーザダイオードからのレーザ光を照射するための対物レンズ、対物レンズをフォーカス方向やトラッキング方向に対物レンズを駆動するためのアクチュエータ、ＣＤ１３から反射された反射光を受ける受光器や、レーザ光を対物レンズへ導いたり反射光を受光器へ導く光学系などを備え、受光器の出力からＣＤ１３に記録されている音楽データなどを含むＲＦ信号などを生成しＲＦアンプ４へ出力する。
【００２１】
ＲＦアンプ４は、ピックアップ３から入力される信号を所定の値に増幅し、ＥＦＭデコーダ５へ出力する。
【００２２】
ＥＦＭデコーダ５は、ＲＦアンプ４から入力されたＲＦ信号をＥＦＭ（Eight to Fourteen Modulation）復調し、符号誤りの検出／訂正処理等を行ってＣＤ−ＲＯＭデータを生成してＣＤ−ＲＯＭデコーダ６に出力する。勿論、このＣＤ−ＲＯＭデータには音楽データが含まれている。
【００２３】
ＣＤ−ＲＯＭデコーダ６は、ＥＦＭデコーダ５から入力されるＣＤ−ＲＯＭデータに対して、２回目の符号誤りの訂正処理および検出処理を行い、処理が完了したＣＤ−ＲＯＭデータをＦＩＦＯ７へ出力する。
【００２４】
ＦＩＦＯ７は、ＣＤ−ＲＯＭデコーダ６とオーディオＤＳＰ８間のデータの流れを円滑にするために設けられた先入れ先出し（First In First Out）方式のメモリであり、ＣＤ−ＲＯＭデコーダ６から入力されたＣＤ−ＲＯＭデータを一時的に記憶する。
【００２５】
復号手段としてのオーディオＤＳＰ８は、内蔵メモリ８ａを備え、ＦＩＦＯ７から読み出したＣＤ−ＲＯＭデータを予め設定されたデコードプログラムによりデコード（復号）して音楽データの部分をＰＣＭ（Pulse Code Modulation）データに変換し、マイコン１２の指示に応じて出力バッファ９に出力する。
【００２６】
記憶手段としての内蔵メモリ８ａは、ＲＡＭ（Random Access Memory）で構成され、オーディオＤＳＰ８内で復号される前のＣＤ−ＲＯＭデータを１フレーム分記憶することができる。すなわち、所定の情報として一度に復号する量の音声情報を記憶している。
【００２７】
出力バッファ９は、オーディオＤＳＰ８とＤＡＣ１０間のデータの流れを円滑にするために設けられ、オーディオＤＳＰ８でデコードしたＰＣＭデータを一時的に記憶するメモリであり、ＦＩＦＯ方式のメモリで構成されている。
【００２８】
ＤＡＣ１０は、出力バッファ９からデータを読み出して、デジタル信号をアナログ信号に変換するデジタル／アナログコンバータであり、音声出力端子１１から出力する。音声出力端子１１から出力されたアナログ信号は、アンプなどを介してスピーカから音声として出力される。
【００２９】
マイコン１２は、ＣＰＵ（Central Processing Unit）やメモリなどを内蔵したマイクロコンピュータであり、ＣＤプレーヤ１の全体制御およびオーディオＤＳＰ８に対して出力バッファ９にデコードしたデータを出力する（書き込む）指示を行う。
【００３０】
次に、上述したＣＤプレーヤ１におけるＣＤ１３に記録された音楽データを再生する際のオーディオＤＳＰ８の復号動作について図２のフローチャートを参照して説明する。
【００３１】
まず、ステップＳ１において、オーディオＤＳＰ８は、ＦＩＦＯ７からＣＤ−ＲＯＭデータを１フレーム分読み込んでステップＳ２に進む。
【００３２】
次に、ステップＳ２において、ステップＳ１で読み込んだＣＤ−ＲＯＭデータを内蔵メモリ８ａに書き込んでステップＳ３に進む。
【００３３】
次に、ステップＳ３において、内蔵メモリ８ａに書き込んだＣＤ−ＲＯＭデータのデコード処理を行ってステップＳ４に進む。
【００３４】
次に、ステップＳ４において、マイコン１２から書き込み命令があり、かつ、出力バッファ９に空きがあって書き込める状態であるか否かを判断して、２つの条件共に満たす場合（ＹＥＳの場合）は、デコードしたデータを出力すべくステップＳ５に進む。一方、２つの条件のいずれか一方でも満たさない場合（ＮＯの場合）は、ステップＳ３に進んでデコード処理を継続する。本ステップの条件が成立することが次のフレームのデコードを行うための契機となる。つまり、前述のとおり、デコード後のＰＣＭデータはＣＤ−ＲＯＭデータより伸張されているので出力バッファ９に空きができるまで次のフレームを出力するためのデコード処理が出来ない。しかし、この待ち状態の間も出力バッファ９には出力しないデータをデコード処理し続けることでオーディオＤＳＰ８のデコード処理が停止することを防ぐ。そして、本ステップの条件が成立しない限りは繰り返し内蔵メモリ８ａ内のＣＤ−ＲＯＭデータのデコードを行う。すなわち、音声情報を復号してから次の音声情報を復号する間の期間は、記憶手段に記憶されている情報を読み出して繰り返し復号処理を行っている。
【００３５】
次に、ステップＳ５において、出力バッファ９にデコードしたＰＣＭデータを出力してステップＳ１に戻り、次の１フレームをＦＩＦＯ７から読み込んでデコード処理を継続する。
【００３６】
図３に本実施例と従来の復号動作を比較した図を示す。従来は１フレーム毎に待ち状態を挟んで間欠的に動作していたのが、本実施例のオーディオＤＳＰ８では、１度起動された後は待ち状態が無くなり、従来待ち状態であった期間も１フレームのデータを繰り返しデコードするようになる。
【００３７】
本実施例によれば、ＣＤプレーヤ１において、オーディオＤＳＰ８が符号化された音声データをデコードする際に、１フレーム分のＣＤ−ＲＯＭデータをオーディオＤＳＰ８内の内蔵メモリ８ａに読み込み、そのＣＤ−ＲＯＭデータをデコードした後に、出力バッファ９に書き出すようになるまでは、オーディオＤＳＰ８は内蔵メモリ８ａの１フレーム分のＣＤ−ＲＯＭデータを繰り返しデコードするので、デコード処理が常時動作し続けるために、デコード処理の起動に伴う電流の流入を防止することができ、再生された音声や映像にノイズが発生することを防止することができる。
【００３８】
また、内蔵メモリ８ａに１フレーム分の音声データを記憶しているので、デコード処理自体は、再生される情報と変わりなく動作を行え、デコード処理に起動に伴う電流の流入を防止してノイズを防止することが容易になる。
【００３９】
また、オーディオＤＳＰ８の内蔵メモリ８ａを用いているので、本発明を適用するために基板上の回路構成の変更の必要がないので、回路構成の変更を伴わずに復号処理の起動に伴う電流の流入を防止してノイズを防止することができる。
【００４０】
なお、上述した実施例では記憶手段としてオーディオＤＳＰ８にメモリを内蔵していたが、図４に示したように、前段のＦＩＦＯ７をＲＡＭ７´に変更して、ＲＡＭ７´に繰り返しアクセスするようにしてもよいし、図５に示したようにオーディオＤＳＰ８の外付けメモリ１４を内蔵メモリ８ａの代わりに用いてもよい。図４のようにすれば、通常はＲＡＭ７´をＦＩＦＯのように使用して、繰り返し処理の際のみ該当するデータを繰り返しアクセスできるので、オーディオＤＳＰ８の回路を変更する必要がない。図５のようにすれば、外付けメモリ１４に１フレーム分のＣＤ−ＲＯＭデータを記憶させればよいので、オーディオＤＳＰ８の回路を変更する必要が無い。
【実施例２】
【００４１】
次に、本発明の第２の実施例を図６を参照して説明する。なお、前述した第１の実施例と同一部分には、同一符号を付して説明を省略する。
【００４２】
また、本実施例は、ブロック構成は第１の実施例と同様であるが、繰り返しデコード処理を行うためのデータとして予めダミーデータを用意して、それを利用する点が異なる。すなわち、記憶手段に、予め定めた所定の情報を記憶している。
【００４３】
本実施例にかかるオーディオＤＳＰ８の復号動作について図６のフローチャートを参照して説明する。図６に示したフローチャートは図２のフローチャートに対して、ステップＳ６が追加されている。ステップＳ６は、マイコン１２からの書き込み命令マイコン１２から書き込み命令があり、かつ、出力バッファ９に空きがあって書き込める状態が成立しない場合に実行し、ダミーデータを読み込んでステップＳ３に戻る。
【００４４】
ステップＳ４の条件が成立する間、つまり、音楽データ１フレーム分のデコードを行ってから次の１フレーム分のデコードを行うまでの間に行うデコードの処理は起動時の電流を防止するためのダミー処理であり、このダミー処理の結果は出力バッファ９へ出力されることはない。そのため、デコードするデータの内容は問われないことから、所定の情報としてダミーデータを内蔵メモリ８ａ内に予め用意している。つまり、ＣＤ１３から読み込む音楽データ以外の情報を所定の情報として記憶している。したがって、本実施例の場合は内蔵メモリ８ａをマスクＲＯＭ（Read Only Memory）としてもよい。また、ダミーデータは１フレーム分である必要は無く、１フレームよりも少ないデータでよい。
【００４５】
本実施例によれば、オーディオＤＳＰ８が繰り返しデコード処理を行う際に読み込むデータを予め定めたダミーデータを用いているので、ＲＡＭでなくマスクＲＯＭを用いることでメモリ追加分のコストを下げることができる。また、ダミーデータを１フレームよりも少なくすることで内蔵メモリ８ａの容量を少なくすることができ、内蔵メモリ８ａでなく、既存のメモリやレジスタファイルなどにダミーデータを記憶されることも可能となる。
【００４６】
なお、上述した実施例では、復号手段として、オーディオＤＳＰ８を用いていたが、ＤＳＰに限らず、マイコンや専用のデコード回路であってもよい。
【００４７】
また、本発明は音声の復号だけでなくＭＰＥＧ（Moving Picture Experts Group）などの規格で符号化された映像の復号に適用することができる。
【００４８】
また、ＣＤプレーヤなどの光ディスクを用いた再生装置に限らず、ハードディスクや半導体メモリを用いた再生装置、あるいはインターネットなど外部ネットワークからダウンロードして再生する再生装置に適用してもよい。
【００４９】
前述した実施例によれば、以下のＣＤプレーヤ１、情報再生方法および情報再生プログラムが得られる。
【００５０】
（付記１）符号化された音声データを外部から間欠的に取得して該音声データをデコードするオーディオＤＳＰ８を備えたＣＤプレーヤ１において、
１フレーム分の音声データを記憶する内蔵メモリ８ａを備え、
オーディオＤＳＰ８が、音声データをデコードしてから次の音声データをデコードする間の期間は、内蔵メモリ８ａに記憶されている音声データを読み出して繰り返しデコードするように構成されている
ことを特徴とするＣＤプレーヤ１。
【００５１】
このＣＤプレーヤ１によれば、デコードが常時動作し続けるために、デコードの起動に伴う電流の流入を防止することができ、再生された音声にノイズが発生することを防止することができる。
【００５２】
（付記２）符号化された音声データを外部から間欠的に取得して該音声情報をデコードする情報再生方法において、
音声データをデコードしてから次の音声データをデコードする間の期間は、内蔵メモリ８ａに記憶されている音声データを読み出して繰り返しデコードすることを特徴とする情報再生方法。
【００５３】
この情報再生方法によれば、デコードが常時動作し続けるために、デコードの起動に伴う電流の流入を防止することができ、再生された音声にノイズが発生することを防止することができる。
【００５４】
（付記３）符号化された音声データを外部から間欠的に取得して該音声データをデコードするオーディオＤＳＰ８としてコンピュータを機能させる情報再生プログラムにおいて、
１フレーム分の音声データを記憶する内蔵メモリ８ａとして、コンピュータを機能させるとともに、
オーディオＤＳＰ８が、音声データをデコードしてから次の音声データをデコードする間の期間は、内蔵メモリ８ａに記憶されている音声データを読み出して繰り返しデコードする
ことを特徴とする情報再生プログラム。
【００５５】
この情報再生プログラムによれば、デコードが常時動作し続けるために、デコードの起動に伴う電流の流入を防止することができ、再生された音声にノイズが発生することを防止することができる。
【００５６】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５７】
【図１】本発明の第１の実施例にかかるＣＤプレーヤのブロック図である。
【図２】図１に示されたＣＤプレーヤのオーディオＤＳＰのデコード動作を示したフローチャートである。
【図３】図１に示されたＣＤプレーヤのオーディオＤＳＰのデコード動作と従来の動作を比較した説明図である。
【図４】図１に示されたＣＤプレーヤの他の実施例を示したブロック図である。
【図５】図１に示されたＣＤプレーヤの他の実施例を示したブロック図である。
【図６】本発明の第２の実施例にかかるＣＤプレーヤのオーディオＤＳＰのデコード動作を示したフローチャートである。
【符号の説明】
【００５８】
１        ＣＤプレーヤ（情報再生装置）
８        オーディオＤＳＰ（復号手段）
８ａ      内蔵メモリ（記憶手段）
７´      ＲＡＭ（記憶手段）
１４      外付けメモリ（記憶手段）
【図１】
2009230773.tif 000003
【図２】
2009230773.tif 000004
【図３】
2009230773.tif 000005
【図４】
2009230773.tif 000006
【図５】
2009230773.tif 000007
【図６】
2009230773.tif 000008